(57)【要約】      （修正有）【課題】液晶表示装置のダイナミック画面の表現を改善するグレイスケール処理方法と装置を提供する。【解決手段】信号グレイスケールとマッピンググレイスケールの対照関係を表わすグレイスケールマッピングテーブルを検索して、信号グレイスケール０からＮに至る計Ｎ＋１個のグレイスケールを１からＮー１に至る計Ｎ−１個のマッピンググレイスケールに分配しなおす。マッピンググレイスケール信号を過電圧補償回路にフィードインして処理を行い、目下の画面のマッピンググレイスケール値と、その前の画面のマッピンググレイスケール値とを比較して、変化がある場合に過電圧補償を起動し、変化がない場合には過電圧補償を中止する。【選択図】図４
2005326851.tif 000002
【特許請求の範囲】
【請求項１】
信号グレイスケールとマッピンググレイスケールの対照関係を表わすグレイマッピングテーブルを提供し、
受信した信号グレイスケールに基づいて該グレイマッピングテーブルを検索して該信号グレイスケールに対応するマッピンググレイスケール信号を得て、
該マッピングスケール信号を過電圧補償回路にフィードインして処理を行い、目下の画面（current  frame）のマッピンググレイスケール値と、その前の画面（previous  frame）のマッピンググレイスケールとを比較して、変化があることを発見した場合に過電圧補償を起動し、変化のないことを発見した場合に過電圧補償を中止するステップを含むことを特徴とする液晶表示装置のダイナミック画面のグレイスケール処理方法。
【請求項２】
前記液晶表示装置の受信する信号がグレイスケールの程度に基づき０からＮに至るまで計Ｎ＋１個のグレイスケール区間に分けられ、該マッピンググレイスケールが該Ｎ＋１個の信号グレイスケールをＩからＮ−１個のマッピンググレイスケールに分配しなおし、かつ該ＮとＩとがいずれも自然数であって、ＩがＮに比して明らかに小さいことを特徴とする請求項１に記載の液晶表示装置のダイナミック画面のグレイスケール処理方法。
【請求項３】
前記過電圧補償を起動する場合、目下の画面のマッピンググレイスケール値がその前の画面のマッピンググレイスケールより高ければ目下の画面のマッピンググレイスケール値に正の補償を行って第１補償グレイスケールとし、さらに該第１補償グレイスケールに基づいて信号電圧値を出力し、
目下の画面のマッピンググレイスケール値がその前の画面のマッピンググレイスケールより低ければ目下の画面のマッピンググレイスケール値に負の補償を行って第２補償グレイスケールとし、さらに該第２補償グレイスケールに基づいて駆動電圧値をデータラインに出力し、
過電圧補償を中止する場合、目下の画面のマッピンググレイスケール値とその前の画面のグレイスケール値のマッピンググレイスケール値とが同様であれば、目下の画面のマッピンググレイスケール値に基づいて駆動電圧を出力することを特徴とする請求項１に記載の液晶表示装置のダイナミック画面のグレイスケール処理方法。
【請求項４】
液晶表示装置のダイナミック画面のグレイスケールを処理する装置であって、少なくともマッピング回路と、過電圧補償回路とを含んでなり、
該マッピング回路は内部にグレイスケールマッピングテーブルを構築してなり、該液晶表示装置の信号出力端にカップリングしてフィードインする信号グレイスケールと、予め設けられたグレイスケールマッピングテーブルのマッピンググレイスケールとの対照関係を提供し、
該過電圧補償回路は、該グレイスケールマッピングテーブルの出力端にカップリングし、目下の画面のマッピンググレイスケール値と、前画面のマッピンググレイスケールとの大小関係を比較し、且つ該大小関係に基づき補償電圧を出力するか、もしくは目下の画面の信号グレイスケールに対応する電圧の内の一電圧を該液晶表示装置駆動回路のデータ入力端に出力することを特徴とする液晶表示装置のダイナミック画面のグレイスケール処理装置。
【請求項５】
前記マッピンググレイスケールが、０からＮに至るまで計Ｎ＋１個のグレイスケール区間を１からN−１に至る計N−１個のマッピンググレイスケールに分配しなおし、目下の画面のグレイスケールが０かNのグレイスケール値の場合の過電圧補償空間を提供することを特徴とする請求項４に記載の液晶表示装置のダイナミック画面のグレイスケール処理装置。
【請求項６】
前記大小関係に基づき、補償電圧を出力するとは目下の画面のマッピンググレイスケール値と前画面のグレイスケール値のマッピンググレイスケール値が同様の場合、目下の画面のマッピンググレイスケール値に基づいて駆動電圧を出力し、
目下の画面のマッピンググレイスケール値が前画面のグレイスケール値のマッピンググレイスケール値より高い場合、目下の画面のマッピンググレイスケール値に正方向の補償を行って補償電圧を出力し、
目下の画面のマッピンググレイスケール値が前画面のグレイスケール値のマッピンググレイスケール値より低い場合、目下の画面のマッピンググレイスケール値に負の方向の補償を行って補償電圧を出力することを特徴とする請求項４に記載の液晶表示装置のダイナミック画面のグレイスケール処理装置。
【請求項７】
前記液晶表示装置のダイナミック画面のグレイスケール処理装置が、該グレイスケールマッピングテーブルにカップリングし、過電圧補償回路による処理の前、もしくは過電圧補償回路による処理の後にグレイスケール解析度を高めるディザリング回路を更に含むことを特徴とする請求項４に記載の液晶表示装置のダイナミック画面のグレイスケール処理装置。
【発明の詳細な説明】
【技術分野】
【０００１】
この発明は液晶表示装置の信号グレイスケールの処理装置に関し、特に液晶駆動回路のデータラインに信号を入力する場合、予めマッピングテーブルと電圧補償技術による処理とを結合させて入力信号を処理し、液晶表示装置のダイナミック画面の表現を改善する液晶表示装置のダイナミック画面信号グレイスケール処理装置、及びその方法に関する。
【背景技術】
【０００２】
液晶表示装置の構造は基本的に透過性のガラス基板を２枚密封するか（透過式液晶表示装置）、もしくは少なくとも１枚の透過性ガラス基板（反射式液晶表示装置）の薄膜液晶によって構成される。液晶はツイスト配向列構造の特性を有するか、もしくは螺旋配向列構造を有する分子である。液晶分子は極性を具える。このため電界強度の変化によって影響を受け、液晶分子は配列が変わり垂直になるか、反転して傾斜し、特定の角度、もしくはガラス基板に対して平行になりバックライトモジュールの提供する光線が透過するか、一部を透過するか、もしくは透過しなくなる、即ちグレイスケールになる。
【０００３】
一般に液晶の解離を防ぐため、液晶は正のフレームタイム（ｐｏｓｉｔｉｖｅ  ｆｒａｍｅ  ｔｉｍｅ）の後、次いで負のフレームタイムとなる。フレームタイムの時間は約１６．７ｍｓである。フレームタイム（もしくは画面タイムとも称する）は、人の視角の残留効果に基づいて画面表示の時間を決めたものである。液晶表示画面の反応時間は、アクティブな画面表示を行う場合に遅延現象が発生するか否かを特定する。液晶表示時間、または反応速度とも言える時間の早さは、液晶が電界の変化を受けて反転する速度によって決まり、電界の変化を層さする要素は電圧である。例を挙げると、液晶表示装置の画面が完全に不透過の状態から完全に透過した状態に到るまで８ビットで画素のグレイスケールの程度を記録する場合、グレイスケール０からグレイスケール２５５にまで分けることができる。完全に不透過の状態はグレイスケールが０であり、完全に透過した状態のグレイスケールは２５５である。
【０００４】
図１Ａは、過電圧補償技術に係る説明図である。入力信号１０５が画素に入力された場合、該画素において入力信号１０は画面１から画面５に移る間に信号のグレイスケールが３０、１３０、１３０、３０、３０、とそれぞれ順に変化する。これら５つの画面に対して過電圧補償技術で過電圧補償処理を行うと、過電圧補償信号１１０はそれぞれ３０、１３０＋ａ、１３０、３０−ｂ、３０となる。ここにおけるａ、ｂは補償値である。
【０００５】
図面によれば、画面１から画面２に移ると、グレイスケールが増加する。画面２のグレイスケールにａ値を足して補償とする。即ち１３０+ａである。画面２から画面３に移る場合、グレイスケールは変化しない。画面３のグレイスケール出力に基づけば、如何なる値をも加えない。即ち１３０である。画面３から画面４に移り、グレイスケールが減少する。画面４のグレイスケール３０からｂ値を引いて補償とする。即ち３０−ｂである。次に画面４から画面５に移る場合、グレイスケールは変化しない。画面５のグレイスケール出力に基づけば、如何なる値も加えない。即ち３０である。それぞれの信号のグレイスケールに対応する電圧は図１ｂに開示する通りである。
【０００６】
上述の方法によれば、画素のグレイスケールが両極端値にある場合、即ちグレイスケール０（完全に不透過でオールブラックの状態）か、もしくはグレイスケールＮ（完全に透過してオールホワイトの状態）の場合、増減の動作を行うことができない。図２Ａに開示するように、画素のグレイスケールの変化が画面１から画面５に移る場合、０、Ｎ、Ｎ、０、０であれば如何なる過デ夏補償をも得ることができない。例えば画面１から画面２に移る場合、グレイスケールが増加するがグレイスケールＮは既に最高値である。よって如何なる電圧補償もありえない。言いかえれば該グレイスケールに対応する電圧ＶＷ（オールホワイト）は、図２に開示するように過電圧補償処理が行われていない。画面３から画面４についても同様にグレイスケールは減少するが、グレイスケール０は既に最低値である。よって、如何なる値であっても、これを引いて過電圧補償とすることはできない。該グレイスケールに対応する電圧ＶＢ（オールブラック）も過電圧補償処理が行われていない。図１ＢのＶｄは液晶表示装置に入力されるデータラインの電圧である。
【０００７】
図３は従来の過電圧補償方法によるハードウェアの構造を示したブロック図である。図示における信号電圧１０５は、電圧処理回路２０において前述する方法で計算され、更に処理後の過電圧補償信号１１０が液晶表示装置の駆動回路のデータライン３０に出力される。
【発明の開示】
【発明が解決しようとする課題】
【０００８】
しかしながら、上述する従来の技術によれば前画面から目下の画面に変化する場合に変化が起き、且つ目下の画面におけるグレイスケールが０かＮであれば、過電圧処理回路は何ら作用をも発揮することができない。これら二つの極端値である０、Ｎは頻繁に用いられるものであって、しかも、肉眼で容易に感じ取ることが出きる。よって係る問題を解決するための方法が望まれている。
【０００９】
この発明は、上述の欠点を改善するために創作されたものであり、液晶表示装置のダイナミック画面における最高補償電圧を静止画面の最大電圧値より高くし、ダイナミック画面の最低補償電圧が静止画面の最小電圧値よりも低くすることによって、ダイナミック画面の表現を改善することのできるダイナミック画面信号グレイスケール処理装置、及びその方法を提供することを課題とする。
【課題を解決するための手段】
【００１０】
そこで、本発明者は従来の技術に見られる欠点に鑑み鋭意研究を重ねた結果、少なくともグレイスケールマッピングテーブルと、過電圧補償回路とを含んでなる信号グレイスケール処理装置と、及び信号グレイスケールとマッピンググレイスケールの対照関係を表わすグレイマッピングテーブルを提供し、受信した信号グレイスケールに基づいて該グレイマッピングテーブルを検索して該信号グレイスケールに対応するマッピンググレイスケール信号を得て、  該マッピングスケール信号を過電圧補償回路にフィードインして処理を行い、目下の画面のマッピンググレイスケール値と、その前の画面）のマッピンググレイスケールとを比較して、変化があることを発見した場合に過電圧補償を起動し、変化のないことを発見した場合に過電圧補償を中止するステップを含む液晶表示装置のダイナミック画面のグレイスケール処理方法によって課題を解決できる点に着眼し、係る知見に基づいて本発明を完成させた。
以下、この発明について具体的に説明する。
【００１１】
請求項１に記載する液晶表示装置のダイナミック画面のグレイスケール処理方法は、信号グレイスケールとマッピンググレイスケールの対照関係を表わすグレイマッピングテーブルを提供し、
受信した信号グレイスケールに基づいて該グレイマッピングテーブルを検索して該信号グレイスケールに対応するマッピンググレイスケール信号を得て、
該マッピングスケール信号を過電圧補償回路にフィードインして処理を行い、目下の画面（current  frame）のマッピンググレイスケール値と、その前の画面（previous  frame）のマッピンググレイスケールとを比較して、変化があることを発見した場合に過電圧補償を起動し、変化のないことを発見した場合に過電圧補償を中止するステップを含む。
【００１２】
請求項２に記載する液晶表示装置のダイナミック画面のグレイスケール処理方法は、請求項１における液晶表示装置の受信する信号がグレイスケールの程度に基づき０からＮに至るまで計Ｎ＋１個のグレイスケール区間に分けられ、該マッピンググレイスケールが該Ｎ＋１個の信号グレイスケールをＩからＮ−１個のマッピンググレイスケールに分配しなおし、かつ該ＮとＩとがいずれも自然数であって、ＩがＮに比して明らかに小さい。
【００１３】
請求項３に記載する液晶表示装置のダイナミック画面のグレイスケール処理方法は、請求項１における過電圧補償を起動する場合、目下の画面のマッピンググレイスケール値がその前の画面のマッピンググレイスケールより高ければ目下の画面のマッピンググレイスケール値に正の補償を行って第１補償グレイスケールとし、さらに該第１補償グレイスケールに基づいて信号電圧値を出力し、
目下の画面のマッピンググレイスケール値がその前の画面のマッピンググレイスケールより低ければ目下の画面のマッピンググレイスケール値に負の補償を行って第２補償グレイスケールとし、さらに該第２補償グレイスケールに基づいて駆動電圧値をデータラインに出力し、
過電圧補償を中止する場合、目下の画面のマッピンググレイスケール値とその前の画面のグレイスケール値のマッピンググレイスケール値とが同様であれば、目下の画面のマッピンググレイスケール値に基づいて駆動電圧を出力する。
【００１４】
請求項４に記載する液晶表示装置のダイナミック画面のグレイスケール処理装置は、液晶表示装置のダイナミック画面のグレイスケールを処理する装置であって、少なくともマッピング回路と、過電圧補償回路とを含んでなり、
該マッピング回路は内部にグレイスケールマッピングテーブルを構築してなり、該液晶表示装置の信号出力端にカップリングしてフィードインする信号グレイスケールと、予め設けられたグレイスケールマッピングテーブルのマッピンググレイスケールとの対照関係を提供し、
該過電圧補償回路は、該グレイスケールマッピングテーブルの出力端にカップリングし、目下の画面のマッピンググレイスケール値と、前画面のマッピンググレイスケールとの大小関係を比較し、且つ該大小関係に基づき補償電圧を出力するか、もしくは目下の画面の信号グレイスケールに対応する電圧の内の一電圧を該液晶表示装置駆動回路のデータ入力端に出力。
【００１５】
請求項５に記載する液晶表示装置のダイナミック画面のグレイスケール処理装置は、請求項４におけるマッピンググレイスケールが、０からＮに至るまで計Ｎ＋１個のグレイスケール区間を１からN−１に至る計N−１個のマッピンググレイスケールに分配しなおし、目下の画面のグレイスケールが０かNのグレイスケール値の場合の過電圧補償空間を提供する。
【００１６】
請求項６に記載する液晶表示装置のダイナミック画面のグレイスケール処理装置は、請求項４における大小関係に基づき、補償電圧を出力するとは目下の画面のマッピンググレイスケール値と前画面のグレイスケール値のマッピンググレイスケール値が同様の場合、目下の画面のマッピンググレイスケール値に基づいて駆動電圧を出力し、
目下の画面のマッピンググレイスケール値が前画面のグレイスケール値のマッピンググレイスケール値より高い場合、目下の画面のマッピンググレイスケール値に正方向の補償を行って補償電圧を出力し、
目下の画面のマッピンググレイスケール値が前画面のグレイスケール値のマッピンググレイスケール値より低い場合、目下の画面のマッピンググレイスケール値に負の方向の補償を行って補償電圧を出力する。
【００１７】
請求項７に記載する液晶表示装置のダイナミック画面のグレイスケール処理装置は、請求項４における液晶表示装置のダイナミック画面のグレイスケール処理装置が、該グレースケールマッピングテーブルにカップリングし、過電圧補償回路による処理の前、もしくは過電圧補償回路による処理の後にグレイスケール解析度を高めるディザリング回路を更に含む。
【発明の効果】
【００１８】
この発明による液晶表示装置のダイナミック画面信号グレイスケール処理装置、及びその装置は、最高補償電圧を静止画面の最大電圧値より高くし、ダイナミック画面の最低補償電圧が静止画面の最小電圧値よりも低くすることによって、ダイナミック画面の表現を改善するといった効果を有する。
【発明を実施するための最良の形態】
【００１９】
この発明は、液晶表示装置のダイナミック画面信号グレイスケール処理装置、及びその方法を提供するものであって、本発明の装置、及び方法によればダイナミック画面の最高補償電圧が静止画面の最大電圧より高くし、ダイナミック画面の最低補償電圧を静止画面の最小電圧より低くすることができる。
【００２０】
この発明による液晶表示装置のダイナミック画面信号処理装置は、グレイスケールマッピングテーブルを内部に構築したマッピング回路と、過電圧補償回路とを含んでなり、該マッピング回路は該液晶表示装置の信号出力端にカップリングし、フィードインする信号グレイスケールと、内部に構築したグレイスケールマッピングテーブルのマッピンググレイスケールとの対照関係を提供し、該過電圧補償回路は該グレイスケールマッピングテーブルの出力端にカップリングし、目下の画面のマッピンググレイスケール値と前画面のマッピンググレイスケールとの大小関係を比較し、且つ該大小関係に基づき補償電圧を出力するか、もしくは目下の画面の信号グレイスケールに対応する電圧の内の一電圧を該液晶表示装置駆動回路のデータ入力端に出力する。
【００２１】
この発明による方法によれば、信号グレイスケールと、マッピンググレイスケールの対照関係を表すグレイスケールマッピングテーブルを利用して信号グレイスケール０からＮに至る計Ｎ＋１個のグレイスケールを１からＮ−１に到る計Ｎ−１個のマッピンググレイスケールに分配しなおす。係るステップによって前画面（Ｐｒｅｖｉｏｕｓ  Ｆｒａｍｅ）のダイナミック画面から目下の画面（Ｃｕｒｒｅｎｔ  Ｆｒａｍｅ）に変化し、且つ目下の画面がオールブラックか、オールホワイトの極限値にある場合、ダイナミック画面の変化に過電圧補償を提供することができないという従来の技術における欠点を改善することができる。ダイナミック画面の変化に過電圧補償を提供するとは、目下の画面のマッピンググレイスケール値が前画面のグレイスケール値のマッピンググレイスケール値より高い場合（もしくは目下の画面に入力されたグレイスケール値が前画面に入力されたグレイスケール値より高い場合）、目下の画面のマッピンググレイスケール値を高めて補償グレイスケールとし、更に該補償グレイスケールに基づき、信号電圧値を出力するか、または目下の画面のマッピンググレイスケール値が前画面のグレイスケール値のマッピンググレイスケール値より低い場合（もしくは目下の画面に入力されたグレイスケール値が前画面に入力されたグレイスケール値より低い場合）、目下の画面のマッピンググレイスケール値を低くして補償グレイスケールとし、更に該補償グレイスケールに基づき駆動電圧値をデータラインに出力することを指す。
【００２２】
さらに、受信した信号グレイスケールに基づき該グレースケールマッピングテーブルを検索し、該信号グレイスケールに対応するマッピンググレイスケール値を得る。この場合、目下の画面のマッピンググレイスケール値と、前画面のマッピンググレイスケール値との間に変化があれば、過電圧補償を起動し、目下の画面のマッピンググレイスケール値と、前画面のマッピンググレイスケール値との間に変化がない場合は、過電圧補償を中止する。
【００２３】
最後に、処理した信号を液晶表示装置の駆動回路のデータラインにフィードインさせる。
【００２４】
係る構成の信号グレイスケール処置装置、及びその方法について、その構造と特徴を詳述するために具体的な実施例を挙げ、以下に説明する。
【実施例１】
【００２５】
この発明におけるグレイスケールマッピングテーブルは、図４に開示するように信号グレイスケールとマッピンググレイスケールとの対照関係を提供するものであって、該信号グレイスケールは液晶表示装置の信号受信端に出力する信号であって、グレイスケールの程度に基づいて０からＮに至るまで計Ｎ＋１個のグレイスケール区間に分けられる。
【００２６】
該マッピンググレイスケールについては、この発明の実施例において該Ｎ＋１個の信号グレイスケールを１からＮ−１に至る計Ｎ−１個のマッピンググレイスケールに分配しなおす。但し、この発明においてマッピンググレイスケールは始めと終わりの両端においてそれぞれグレイスケールをそれぞれ１個ずつ引くとは限らない。当然のことながら、初めと終わりの両端においてそれぞれ２個のグレイスケールを引くなど、１個以上少なくしてもよい。
【００２７】
Ｎ＋１個の信号グレイスケールをＮ−１個のマッピンググレイスケールに配分しなおすことにより、グレイスケールが２個少なくなる。このため、少なくとも２組の２個の信号グレイスケールが同一のマッピンググレイスケールに対応する状況が発生する。よって、一部の隣り合うグレイスケールの値が肉眼で分別できないか、もしくは分別の程度を最低にさせるものであれば、係る二つの信号グレイスケールを同一のマッピンググレイスケールに対応させることができる。
【００２８】
但し、他の方法としてＮ−１個のマッピンググレイスケールを高ビット回路にマッピングしてもよい。例えば、本来の８ビット（２５５グレイスケールに対して）を高ビット（例えば１０ビット）にマッピングし、更に平均化処理を行う。即ち、低ビットを高ビットにシミュレートするディザリング処理である。係る方法はメモリの使用量を増加させるが、画面の品質を高めることができる。
【００２９】
以下Ｎ＋１個の信号グレイスケールをＮ−１個のマッピンググレイスケールに分配しなおす方法について説明する。
【００３０】
グレイスケールマッピングテーブルを構築した後の処理の規則は、第一のステップにおいて受信した信号グレイスケールに基づき、グレイスケールマッピングテーブルを検索して該信号グレイスケールに対応するマッピンググレイスケール値を得る。図４に信号グレイスケールとマッピンググレイスケールとを対照させたグレイスケールマッピングテーブルの一例を開示する。
【００３１】
第２のステップにおいて、目下の画面（ｃｕｒｒｅｎｔ  ｆｒａｍｅ）のマッピンググレイスケール値と、前画面（ｐｒｅｖｉｏｕｓ  ｆｒａｍｅ）のマッピンググレイスケール値とを比較し、変化があれば過電圧補償を起動する。また、目下の画面のマッピンググレイスケール値と、前画面のマッピンググレイスケール値とを比較した結果、変化がなければ過電圧補償を中止する。この発明の方法は、目下の画面のマッピンググレイスケール値が前画面のマッピンググレイスケール値より高い場合、目下の画面のマッピンググレイ値に正の補償を行い、目下の画面のマッピンググレイスケール値が前画面のマッピンググレイスケール値より低い場合、目下の画面のマッピンググレイ値に負の補償を行う。
【００３２】
図５Ａに開示するように、仮に画素のグレイスケールが画面１から画面５に入力される入力信号１０５のグレイスケールの変化に基づき、０、Ｎ、Ｎ、０、０の順で変化するとすれば、本発明のステップ１に基づき、改めてマッピングした後の画面１から画面５におけるマッピング後のグレイスケール１２０は、１、Ｎ−１、Ｎ−１、１、１の順で変化する。更にこの発明のステップ２の補償の原則に基づいて過電圧補償を行う。過電圧補償グレイスケール１１０は１、Ｎ、Ｎ−１、０、１となる。
【００３３】
よって、上述する補償を行った後のグレイスケール１、Ｎ、Ｎ−１、０、１を電圧値に投射すると、図５Ｂに開示するようにそれぞれＶＢ、ＶＭＡＸ、ＶＷ、ＶＭＩＮ、ＶＢとなる。即ち、全面的に暗くなるオールブラックの電圧値、最高電圧値、全面的に白くなるオールホワイトの電圧値、最低電圧値、オールブラックの電圧値、である。図５Ｂに開示するＶｄは、データラインから液晶表示装置に入力される電圧を表す。
【００３４】
上述するステップを実施し、その結果を得るためのハードウェアの機能について以下に説明する。図６に第１の実施の形態を開示する。図面によれば、先ず信号電圧をマッピング回路６００で処理して対応するマッピンググレイスケール値を得る。次いで、該マッピンググレイスケール値を過電圧補償回路６１０に出力し、該マッピンググレイスケール値に基づいて補償値の大小を決定し、必要とするグレイスケールの補償を行い、最後に液晶表示装置駆動回路のデータライン６２０に出力する。
【００３５】
また、図７に開示するように、入力する信号がマッピング回路７００を経て更に過電圧補償回路７１０に出力する以外に、入力信号に基づいて補償値の大小を決定し、ルート７０２を介して直接過電圧補償回路７１０にフィードインしてグレイスケール補償を行い、最後に液晶表示装置駆動回路のデータライン７２０に出力してもよい。
【実施例２】
【００３６】
前述するように、マッピンググレイスケールの総数が信号グレイスケールの総数より低くなる。言いかえればグレイスケールの解析度が低くなる。そこで、第２の実施形態は、図８に開示するように、マッピング回路８００で信号電圧を処理して対応するマッピンググレイスケール値を得る。次いで過電圧補償回路８１０で必要とするグレイスケールの補償を行い、ディザリング回路８１５で処理し、最後に液晶表示装置駆動回路のデータライン８２０に出力する。
【００３７】
ディザリング回路８１５は、信号処理方法に基づいて信号を処理する回路であって、肉眼が色の有る小さな点の密集を平均化する原理を利用し、メディアの具えない本来の色を２種類、もしくはそれ以上に分解してメディアの表示できる色で代替とし、グレイスケールの解析度を高める処理を行う。言いかえれば、低ビットの信号で高ビットの解析度をシミュレートする一種の信号処理方法である。
【００３８】
当然のことながら、図８Ｂに開示するようにディザリング回路８１５による処理を過電圧補償回路８１０による処理の前に行ってもよい。
【００３９】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００４０】
【図１Ａ】従来の過電圧補償方法を示した説明図である。
【図１Ｂ】図１Ａに開示する過電圧補償方法において、信号グレイスケールに対応する電圧値を示した説明図である。
【図２Ａ】従来の過電圧補償方法を示した他の説明図である。
【図２Ｂ】図２Ａに開示する過電圧補償方法において、信号グレイスケールに対応する電圧値を示した説明図である。
【図３】従来の過電圧補償を行うハードウェアの構成を示した説明図である。
【図４】この発明の過電圧補償方法における信号グレイスケールと、マッピンググレイスケールの関係を示した説明図である。
【図５Ａ】この発明による過電圧補償方法を示した説明図である。
【図５Ｂ】図５Ａに開示する過電圧補償方法において、信号グレイスケールに対応する電圧値を示した説明図である。
【図６】この発明の過電圧補償を行うハードウェアの構成を示した説明図である。
【図７】他の実施形態による過電圧補償を行うハードウェアの構成を示した説明図である。
【図８Ａ】第２の実施例による過電圧補償を行うハードウェアの構成を示した説明図である。
【図８Ｂ】第２の実施例による過電圧補償であって、他の実施形態による過電圧補償を行うハードウェアの構成を示した説明図である。
【符号の説明】
【００４１】
１０                  入力信号
１０５               信号電圧
１１０               過電圧補償信号
１２０               グレイスケール
２０                  マッピング回路
３０                  データライン
６００、７００、８００               マッピング回路
６１０、７１０、８１０               過電圧補償回路
８１５               ディザリング回路
６２０、７２０、８２０               データライン
７０１、７０２               ルート
【図１Ａ】
2005326851.tif 000003
【図１Ｂ】
2005326851.tif 000004
【図２Ａ】
2005326851.tif 000005
【図２Ｂ】
2005326851.tif 000006
【図３】
2005326851.tif 000007
【図４】
2005326851.tif 000008
【図５Ａ】
2005326851.tif 000009
【図５Ｂ】
2005326851.tif 000010
【図６】
2005326851.tif 000011
【図７】
2005326851.tif 000012
【図８Ａ】
2005326851.tif 000013
【図８Ｂ】
2005326851.tif 000014